(57)【要約】      （修正有）【課題】撮影空間の前後位置に関わらず、利用者に対して適切な照度で照射することができる写真撮影遊戯装置、写真撮影遊戯方法及びコンピュータプログラムを提供する。【解決手段】写真撮影遊戯装置は、利用者を撮影するカメラ及び利用者に対して光を照射する照明ユニットが設けられた撮影筐体４と、当該撮影筐体４の後方に撮影空間を区画形成する複数の区画壁とを備えている。前記複数の区画壁のうち、撮影空間の前後方向に延びて形成された区画壁の撮影空間側の面には、撮影空間の前側から後側へ向かうに従って、当該面の明度が連続的に高くなるようにグラデーションが施されている。【選択図】図５
2013025016.tif 000002
【特許請求の範囲】
【請求項１】
利用者を撮影するカメラ及び前記利用者に対して光を照射する照明具が設けられた撮影筐体と、当該撮影筐体の後方に撮影空間を区画形成する複数の区画壁とを備えた写真撮影遊戯装置であって、
前記複数の区画壁のうち、少なくとも一の区画壁が前記撮影空間の前後方向に延びて形成されており、
前記少なくとも一の区画壁の前記撮影空間側の面には、当該撮影空間の前側から後側へ向かうに従って、当該面の明度が連続的又は段階的に高くなるようにグラデーションが施されていることを特徴とする写真撮影遊戯装置。
【請求項２】
前記複数の区画壁として、前記撮影空間の左右両側方にそれぞれ配置された右側壁及び左側壁と、前記撮影空間の上方に配置された天壁と、前記撮影空間の下方に配置された床壁とを含み、
前記右側壁、左側壁、天壁及び床壁の前記撮影空間側の面に、それぞれ前記グラデーションが施されている請求項１に記載の写真撮影遊戯装置。
【請求項３】
前記グラデーションが、前記カメラの撮影範囲以外に施されている請求項１又は２に記載の写真撮影遊戯装置。
【請求項４】
撮影空間の前側から後側へ向かうに従って、前記撮影空間側の面の明度が連続的又は段階的に高くなるようにグラデーションが施されている少なくとも一の区画壁を含む複数の区画壁によって前記撮影空間が区画形成された撮影ブースにおいて、前記撮影空間内の利用者に対して照明具から光を照射してカメラ撮影を行う撮影ステップと、
撮影画像に対して所望の付加画像の付加を含む編集を行う編集ステップと、
編集された編集画像を印刷又は外部にデータ転送することによって出力する出力ステップと、を備えていることを特徴とする写真撮影遊戯方法。
【請求項５】
コンピュータに、請求項４に記載の写真撮影遊戯方法を実行させるためのコンピュータプログラム。
【発明の詳細な説明】
【技術分野】
【０００１】
本発明は、利用者が撮影や画像編集を自身で行い、その場で撮影画像や編集画像を利用者に提供する写真撮影遊戯装置、写真撮影遊戯方法及びコンピュータプログラムに関する。
【背景技術】
【０００２】
従来、利用者が自身を含む被写体をカメラで撮影し、その撮影画像や編集画像を利用者に提供する遊戯用の写真撮影遊戯装置が、ゲームセンターその他の遊戯施設に設置されている。
このような写真撮影遊戯装置は、利用者の嗜好に応じて、予め用意された撮影条件の設定作業（例えば、全身、半身又は顔アップ撮影等のズーム選択、背景画像や前景画像の選択等）や、撮影画像に合成すべき描画や文字を取捨選択して当該撮影画像に合成することで編集画像を作成する編集作業（例えば、タッチペンその他のペン型入力部材を用いた落書き等）を行うことができるように構成されたものが多い。
【０００３】
前記遊戯用の写真撮影遊戯装置は、通常、被写体に対して照明光や閃光を照射する照明具及びカメラが設けられた撮影筐体の後方に撮影空間が区画形成されている（特許文献１参照）。この撮影空間は、背景壁、左右の側壁、遮光性のカーテン、天壁及び床壁により区画形成されており、外部光が照明具の照明効果に悪影響を及ぼすのを低減するようになっている。また、撮影空間は、前後方向に所定長さの空間が形成されており、利用者が撮影空間の前側において撮影筐体に接近することにより顔アップ撮影を行ったり、撮影筐体から離れた撮影空間の後側において全身撮影を行ったりすることができるようになっている。
【先行技術文献】
【特許文献】
【０００４】
【特許文献１】特開２００３−１７７４６２号公報
【発明の概要】
【発明が解決しようとする課題】
【０００５】
前記従来の写真撮影遊戯装置では、被写体を照射する照明具が撮影空間の前方である撮影筐体に内蔵されているため、撮影空間の後側になるほど照明具の照明光や閃光（以下、単に「光」ともいう。）の照度が徐々に弱くなる。このため、撮影空間の前側において撮影を行う場合には、照明具の光の照度を十分確保することはできるが、撮影空間の後側において撮影を行う場合には、照明具の光の照度が不足して、写りが暗くなるという問題がある。
【０００６】
前記問題を解決するために、照明具の光の照度を強くすることが考えられるが、撮影空間の前側で撮影を行う場合に、照明具の光の照度が強くなり過ぎて、撮影画像の全体にいわゆる「白飛び」が発生するという問題が生じる。
本発明は、上記従来の問題点に鑑み、撮影空間の前後位置に関わらず、利用者に対して適切な照度で照射することができる写真撮影遊戯装置、写真撮影遊戯方法及びコンピュータプログラムを提供することを目的とする。
【課題を解決するための手段】
【０００７】
（１）  前記目的を達成するための本発明の写真撮影遊戯装置は、利用者を撮影するカメラ及び前記利用者に対して光を照射する照明具が設けられた撮影筐体と、当該撮影筐体の後方に撮影空間を区画形成する複数の区画壁とを備えた写真撮影遊戯装置であって、前記複数の区画壁のうち、少なくとも一の区画壁が前記撮影空間の前後方向に延びて形成されており、前記少なくとも一の区画壁の前記撮影空間側の面には、当該撮影空間の前側から後側へ向かうに従って、当該面の明度が連続的又は段階的に高くなるようにグラデーションが施されていることを特徴とする。
【０００８】
本発明の写真撮影遊戯装置によれば、グラデーションが施された区画壁の前側は、明度が低いため、照明具から照射された光を反射しにくい。このため、区画壁の前側で反射した反射光の照度を弱めることができる。したがって、撮影空間の前側で撮影する場合には、照明具から利用者に向けて直接照射される直接光の照度は強いが、前記反射光の照度が弱いため、全体として適切な光の照度に抑えることができる。
一方、グラデーションが施された区画壁の後側は、明度が高いため、照明具から照射された光を反射し易い。このため、区画壁の後側で反射した反射光の照度を高めることができる。したがって、撮影空間の後側で撮影する場合には、照明具から利用者に向けて直接照射される直接光の照度は弱いが、前記反射光の照度が強いため、全体として適切な光の照度を確保することができる。
このように、グラデーションが施された区画壁により、当該区画壁を反射する反射光の照度が、撮影空間の前後において直接光の照度とバランス調整されるため、撮影空間の前後位置に関わらず、利用者に対して適切な照度で照射することができる。
【０００９】
（２）  前記写真撮影遊戯装置は、前記複数の区画壁として、前記撮影空間の左右両側方にそれぞれ配置された右側壁及び左側壁と、前記撮影空間の上方に配置された天壁と、前記撮影空間の下方に配置された床壁とを含み、前記右側壁、左側壁、天壁及び床壁の前記撮影空間側の面に、それぞれ前記グラデーションが施されていることが好ましい。
この場合、区画壁を構成する右側壁、左側壁、天壁及び床壁のすべてに、グラデーションが施されるため、撮影空間の前後位置に関わらず、利用者に対してさらに適切な照度で照射することができる。
【００１０】
（３）  前記写真撮影遊戯装置は、前記グラデーションが、前記カメラの撮影範囲以外に施されていることが好ましい。この場合、カメラの撮影画像にグラデーションが写り込むのを防止することができる。
【００１１】
（４）  他の観点からみた本発明は、撮影空間の前側から後側へ向かうに従って、前記撮影空間側の面の明度が連続的又は段階的に高くなるようにグラデーションが施されている少なくとも一の区画壁を含む複数の区画壁によって前記撮影空間が区画形成された撮影ブースにおいて、前記撮影空間内の利用者に対して照明具から光を照射してカメラ撮影を行う撮影ステップと、撮影画像に対して所望の付加画像の付加を含む編集を行う編集ステップと、編集された編集画像を印刷又は外部にデータ転送することによって出力する出力ステップと、を備えていることを特徴とする写真撮影遊戯方法である。
【００１２】
（５）  更に他の観点からみた本発明は、コンピュータに、前記（４）に記載の写真撮影遊戯方法を実行させるためのコンピュータプログラムである。
【発明の効果】
【００１３】
本発明の写真撮影遊戯装置によれば、撮影空間の前後において直接光の照度と反射光の照度とがバランス調整されるため、撮影空間の前後位置に関わらず、利用者に対して適切な照度で照射することができる。
【図面の簡単な説明】
【００１４】
【図１】本発明の第１の実施形態に係る写真撮影遊戯装置を左前側から見た斜視図である。
【図２】上記写真撮影遊戯装置の撮影筐体の斜視図である。
【図３】写真撮影遊戯装置の概略平面図である。
【図４】写真撮影遊戯装置の概略側面図である。
【図５】（ａ）は右側壁の撮影空間側の面を示す概略側面図であり、（ｂ）は左側壁の撮影空間側の面を示す概略側面図である。
【図６】天壁の撮影空間側の面を示す概略平面図である。
【図７】床壁の撮影空間側の面を示す概略平面図である。
【図８】本発明の第２の実施形態に係る写真撮影遊戯装置における天壁の撮影空間側の面を示す概略平面図である。
【図９】本発明の第３の実施形態に係る写真撮影遊戯装置における天壁の撮影空間側の面を示す概略平面図である。
【図１０】本発明の第４の実施形態に係る写真撮影遊戯装置における天壁の撮影空間側の面を示す概略平面図である。
【図１１】本発明の写真撮影遊戯方法を示すフロー図である。
【発明を実施するための形態】
【００１５】
以下、図面に基づいて、本発明に係る写真撮影遊戯装置の一実施形態を説明する。
〔装置の全体構造〕
図１は、本発明の第１の実施形態に係る写真撮影遊戯装置１を左前側から見た斜視図である。図１に示すように、本実施形態の写真撮影遊戯装置１は、ゲームセンターその他の遊戯施設に設置されるものであり、前部側の撮影ブース２と後部側の編集ブース３とを備えており、前後方向に長いほぼ直方体状を呈している。
なお、図１に示すように、本明細書においては、撮影ブース２の内部で撮影を行う利用者から見た前側を「前」、その利用者の後側を「後」、その利用者の左側を「左」、及び、その利用者の右側を「右」と定義して、写真撮影遊戯装置１の全体構造及び各部の構造を記述している。
【００１６】
写真撮影遊戯装置１の各ブース２，３のうち、撮影ブース２は、撮影筐体４と、この撮影筐体４の後方に撮影空間５を区画形成する複数の区画壁４１〜４５と、撮影空間５への出入口である第１出入口７とを有している。
また、編集ブース３は、撮影ブース２の後方に隣接して配置された編集筐体８と、編集筐体８への入力作業を行う編集空間９への出入口である第２出入口１０とを有している。
【００１７】
〔撮影筐体と編集筐体〕
図２は、撮影筐体４の斜視図である。本実施形態の撮影筐体４は、その内部にメインパソコンユニット及びＩ／Ｏコントローラなどのコンピュータプログラムにより実行される各種の制御装置が内蔵されている。また、撮影筐体４は、室内側の正面パネル部が凹湾曲状に形成されており、利用者を撮影するカメラ３０，３１が内部に搭載されている。このカメラ３０，３１には、顔や上半身の写真を撮影するための上部カメラ３０と、全身の写真を撮影するための下部カメラ３１とが含まれている。
【００１８】
上部カメラ３０の下方には、撮影条件などの入力操作が可能なタッチパネル式の液晶モニター３２が設けられている。この液晶モニター３２には、上部カメラ３０で撮影された画像が表示される。また、下部カメラ３１の下方には、下部カメラ３１で撮影された画像が表示される確認モニター３３が設けられている。
【００１９】
また、撮影筐体４の室内側面には、撮影空間５の前方から利用者に対して照明光を照射する照明灯と、カメラ３０，３１による撮影時に利用者に対して閃光を照射するフラッシュとを有する照明ユニット（照明具）３４が設けられている。具体的には、この照明ユニット３４は、中央上側のユニット部分３４Ａと、中央下側のユニット部分３４Ｂと、左側のユニット部分３４Ｃと、右側のユニット部分３４Ｄとから構成されている。
なお、撮影筐体４の右下部には、コイン投入口とコイン返却口を有するキャッシュボックス３５が設けられている。
【００２０】
撮影筐体４の左側面（右側面でもよい。）には、写真撮影遊戯装置１の使用方法を含む説明書きを掲示するための掲示スペース１４が設けられている。また、その左側面の上方には、撮影筐体４が使用中であるか否かを示す表示部１５が設けられている。
【００２１】
図１に示すように、本実施形態の編集筐体８は、左右両側から２組の利用者が同時に編集可能な対面式であり、左右方向長さが後述する背景壁４１の同方向幅よりも小さい筐体よりなる。編集筐体８は、その前端面を背景壁４１の背面の中央部に接続されており、この編集筐体８の左右両側方のスペースが、２組の利用者がそれぞれ編集作業を行う編集空間９となっている。なお、編集筐体８は、少なくとも１組の利用者の編集入力が行えるものであればよい。
【００２２】
本実施形態の編集筐体８は、下部側の制御ボックス３６と、この制御ボックス３６の上に設けられた編集台部３７とを有する。
制御ボックス３６の内部には、メインパソコンユニット及びＩ／Ｏコントローラなどのコンピュータプログラムにより実行される各種の制御装置と、プリントシートを印刷するプリンタ（いずれも図示省略）とが内蔵されており、制御ボックス３６の後端面には、利用者が作成したプリントシートを受領するための取出口（図示省略）が形成されている。
【００２３】
編集台部３７は、所定の傾斜角度で設置された編集モニター３９を備え、この編集モニター３９の左右両側にはタッチペン（図示省略）が接続されている。このタッチペンのペン先を編集モニター３９の画面に接触させることにより、画面表示されたアイコンを選択する選択入力や、文字や描画の落書きを行う場合の手書き入力を行うことができる。
なお、図１では、左側の編集モニター３９を示しているが、右側の編集モニター３９も左側と同じ構造である。また、制御ボックス３６の制御装置は、左右両側の編集モニター３９への入力情報に対応する処理を個別に並列処理できるようになっている。
【００２４】
編集筐体８の上方には、平面視においてほぼコの字状のカーテンフレーム１８が配置されており、このカーテンフレーム１８は、編集筐体８の後上端部に設けられた支持部材２１によって支持されている。カーテンフレーム１８には、カーテン１９が吊り下げられ、編集空間９が区画形成されている。
【００２５】
〔区画壁〕
図１に示すように、複数の区画壁４１〜４５には、撮影空間５の後方に配置された背景壁４１と、撮影空間５の左右両側方にそれぞれ配置された右側壁４２及び左側壁４３と、撮影空間５の上方に配置された天壁４４と、撮影空間５の下方に配置された床壁４５とが含まれている。
背景壁４１は、撮影筐体４とほぼ同じ幅及び高さの板状部材よりなり、撮影筐体４の正面と対向して配置されている。
【００２６】
本実施形態の左側壁４３は、背景壁４１の左端から前方に延設されたプレート４３ａと、このプレート４３ａと撮影筐体４との間において天壁４４の左外側面に吊り下げられた遮光性のカーテン４３ｂとによって構成されている。そして、撮影筐体４の後端縁と、天壁４４の下端縁と、プレート４３ａの前端縁とから、撮影空間５に出入りするための前記第１出入口７が構成されている。
【００２７】
図３は写真撮影遊戯装置１の概略平面図であり、図４は写真撮影遊戯装置１の概略側面図である。図３に示すように、右側壁４２は、左側壁４３と同様に、背景壁４１の右端から前方に延設されたプレート４２ａと、このプレート４２ａと撮影筐体４との間において天壁４４の右外側面に吊り下げられた遮光性のカーテン４２ｂとによって構成されている。
【００２８】
図１に示すように、天壁４４は、撮影筐体４と背景壁４１の上端部間に配置されている。天壁４４の前部は撮影筐体４の上面に固定され、天壁４４の後部は背景壁４１の上面に固定されている。
図１に示すように、本実施形態の床壁４５は、遊技施設等の床面に敷かれたフロアマットからなり、写真撮影遊戯装置１の撮影ブース２及び編集ブース３の下方に配置されている。なお、本実施形態では、遊戯施設等の床面に床壁４５を形成するようにしたが、これに限らない。例えば、撮影筐体４と背景壁４１の下端部間に床壁４５を形成することもできる。
【００２９】
〔グラデーション〕
図５の（ａ）は右側壁４２の撮影空間５側の面を示す概略側面図であり、（ｂ）は左側壁４３の撮影空間５側の面を示す概略側面図である。また、図６は、天壁４４の撮影空間５側の面を示す概略平面図であり、図７は、床壁４５の撮影空間５側の面を示す概略平面図である。
本実施形態の複数の区画壁４１〜４５のうち、撮影空間５の前後方向に延びて形成された右側壁４２、左側壁４３、天壁４４及び床壁４５の撮影空間５側の面には、撮影空間５の前側から後側へ向かうに従って、当該面の明度（当該面の明るさの度合）が連続的に高くなるようにグラデーションが施されている。
【００３０】
図５（ａ）に示すように、右側壁４２のグラデーションは、カメラ３０，３１の撮影画像に写り込まないように、カメラ３０，３１の撮影範囲Ａ２以外に施されている。すなわち、右側壁４２にグラデーションが施されている撮影空間５の前後方向の範囲Ａ１は、カメラ３０，３１の撮影範囲Ａ２以外の範囲とされている（図３参照）。本実施形態の前記範囲Ａ１は、カーテン４２ｂの撮影空間５側の面となる内面４２ｂ１の全体、及びプレート４２ａの撮影空間５側の面となる内面４２ａ１の略中央部より前側となる。
【００３１】
前記範囲Ａ１において、カーテン４２ｂの内面４２ｂ１の前側（撮影空間５の前側）は、明度が最も低い黒色に着色されており、この黒色部分からカーテン４２ｂの内面４２ｂ１の後側へ向かうに従って、濃い灰色から薄い灰色へと連続的に変化するように着色されている。そして、プレート４２ａの内面４２ａ１の略中央部（撮影空間５の後側）は、明度が最も高い白色に着色されている。
【００３２】
図５（ｂ）に示すように、左側壁４３のグラデーションは、カメラ３０，３１の撮影画像に写り込まないように、カメラ３０，３１の撮影範囲Ｂ２以外に施されている。すなわち、左側壁４３にグラデーションが施されている撮影空間５の前後方向の範囲Ｂ１は、カメラ３０，３１の撮影範囲Ｂ２以外の範囲とされている（図３参照）。本実施形態の前記範囲Ｂ１は、カーテン４３ｂの撮影空間５側の面となる内面４３ｂ１の全体、及びプレート４３ａの撮影空間５側の面となる内面４３ａ１の略中央部より前側となる。
【００３３】
前記範囲Ｂ１において、カーテン４３ｂの内面４３ｂ１の前側（撮影空間５の前側）は、明度が最も低い黒色に着色されており、この黒色部分からカーテン４３ｂの内面４３ｂ１の後側へ向かうに従って、濃い灰色から薄い灰色へと連続的に変化するように着色されている。そして、プレート４３ａの内面４３ａ１における略中央部（撮影空間５の後側）は、明度が最も高い白色に着色されている。
【００３４】
図６に示すように、天壁４４のグラデーションは、カメラ３０，３１の撮影画像に写り込まないように、カメラ３０，３１の撮影範囲Ｃ２以外に施されている。すなわち、天壁４４にグラデーションが施されている撮影空間５の前後方向の範囲Ｃ１は、カメラ３０，３１の撮影範囲Ｃ２以外の範囲とされている（図４参照）。本実施形態の前記範囲Ｃ１は、撮影空間５側の面となる下面４４ａに施されている。
【００３５】
前記範囲Ｃ１において、天壁４４の下面４４ａの前側（撮影空間５の前側）は、明度が最も低い黒色に着色されており、この黒色部分から前記下面４４ａの後側へ向かうに従って、濃い灰色から薄い灰色へと連続的に変化するように着色されている。そして、天壁４４の下面４４ａの後側（撮影空間５の後側）は、明度が最も高い白色に着色されている。
【００３６】
図７に示すように、床壁４５のグラデーションは、カメラ３０，３１の撮影画像に写り込まないように、カメラ３０，３１の撮影範囲Ｄ２以外に施されている。すなわち、床壁４５にグラデーションが施されている撮影空間５の前後方向の範囲Ｄ１は、カメラ３０，３１の撮影範囲Ｄ２以外の範囲とされている（図４参照）。本実施形態の前記範囲Ｄ１は、撮影空間５側の面となる上面４５ａに施されている。
【００３７】
前記範囲Ｄ１において、床壁４５の上面４５ａの前側（撮影空間５の前側）は、明度が最も低い黒色に着色されており、この黒色部分から前記上面４５ａの後側へ向かうに従って、濃い灰色から薄い灰色へと連続的に変化するように着色されている。そして、床壁４５の上面４５ａの後側（撮影空間５の後側）は、明度が最も高い白色に着色されている。
【００３８】
〔写真撮影遊戯方法〕
次に、本実施形態の写真撮影遊戯方法について説明する。
図１１は、前記写真撮影遊戯方法のフロー図を示している。同図に示すように、この写真撮影遊戯方法では、撮影ステップＳ１、画像選択ステップＳ２、編集ステップＳ３、印刷パターン選択ステップＳ４、及び出力ステップＳ５の順に進行する。
【００３９】
前記撮影ステップＳ１では、撮影ブース２の撮影空間５において利用者に対して照明ユニット３４から光を照射し、上部カメラ３０又は下部カメラ３１により利用者の撮影を行う。撮影が終了すると、画像選択ステップＳ２において、複数の撮影画像のうち編集したい画像を利用者が選択する。
【００４０】
次に、編集ステップＳ３において、選択した撮影画像に対して所望の付加画像の付加を含む編集を行う。具体的には、利用者は撮影ブース２から編集ブース３に移動して、選択した撮影画像にスタンプ画像等の合成処理可能な描画や文字を取捨選択して当該撮影画像に貼り付けたり、タッチペンを用いて当該撮影画像に落書き等を行う。
【００４１】
撮影画像の編集が終了すると、印刷パターン選択ステップＳ４において、印刷媒体に印刷される撮影画像の設置数や大きさ、或いは、プリントシートのレイアウトやフレーム割り付け等の印刷条件が編集筐体８の編集モニター４９に表示され、利用者はそれらの条件を選択する。
【００４２】
そして、出力ステップＳ５において、編集された編集画像を印刷する。すなわち、利用者による印刷条件の設定に基づいて、前記編集画像をプリンタにより印刷し、これによってプリントシートが利用者に提供される。
なお、本実施の形態では、出力ステップＳ５として、編集画像を印刷により出力する場合について説明したが、編集画像を外部にデータ転送するようにしてもよい。
【００４３】
前記撮影ステップＳ１から出力ステップＳ５までの写真撮影遊戯方法は、写真撮影遊戯装置１の撮影筐体４及び編集筐体８に内蔵されたコンピュータプログラムが、コンピュータによって実行されることで達成される。
【００４４】
以上のように構成された写真撮影遊戯装置１及び写真撮影遊戯方法によれば、グラデーションが施された区画壁４２〜４５の前側は、明度が低い黒色であるため、照明ユニット３４から照射された光を反射しにくい。このため、図３に示すように、区画壁４２〜４５の前側で反射した反射光ＦＬ２の照度を弱めることができる。したがって、図３に示す利用者Ｕ１のように、撮影空間５の前側で撮影する場合には、照明ユニット３４から利用者Ｕ１に向けて直接照射される直接光ＦＬ１の照度は強いが、前記反射光ＦＬ２の照度が弱いため、全体として適切な光の照度に抑えることができる。
【００４５】
一方、グラデーションが施された区画壁４２〜４５の後側は、明度が高い白色であるため、照明ユニット３４から照射された光を反射し易い。このため、図３に示すように、区画壁４２〜４５の後側で反射した反射光ＲＬ２の照度を高めることができる。したがって、図３に示す利用者Ｕ２のように、撮影空間５の後側で撮影する場合には、照明ユニット３４から利用者Ｕ２に向けて直接照射される直接光ＲＬ１の照度は弱いが、前記反射光ＲＬ２の照度が強いため、全体として適切な光の照度を確保することができる。
【００４６】
このように、撮影空間５の前方に配置された照明ユニット３４から利用者に対して照明灯の照明光及びフラッシュの閃光を照射しても、グラデーションが施された区画壁４２〜４５により、当該区画壁４２〜４５を反射する反射光ＦＬ２，ＲＬ２の照度が、撮影空間５の前後において直接光ＦＬ１，ＲＬ１の照度とバランス調整されるため、撮影空間５の前後位置に関わらず、利用者に対して適切な照度で照射することができる。
また、区画壁４２〜４５のグラデーションは、カメラ３０，３１の撮影範囲Ａ２，Ｂ２，Ｃ２及びＤ２以外に施されているため、カメラ３０，３１の撮影画像にグラデーションが写り込むのを防止することができる。
【００４７】
〔他の実施形態〕
図８は、本発明の第２の実施形態に係る写真撮影遊戯装置１における天壁４４の撮影空間５側の面を示す概略平面図である。図８に示すように、本実施形態の天壁４４は、その下面４４ａ（撮影空間５側の面）に施されたグラデーションが、第１の実施形態におけるグラデーションと異なる。本実施形態のグラデーションは、前記下面４４ａの範囲Ｃ１全体に着色された白色の下地に、前後方向に所定間隔をあけて複数の黒色の線を引くことによって施されている。
【００４８】
これらの各線は、下面４４ａの左右方向の全幅に亘って引かれており、線密度（前後方向に隣り合う線同士の間隔）が、下面４４ａの前側から後側へ向かうに従って徐々に低くなっている。これにより、天壁４４の下面４４ａの明度は、前側から後側へ向かうに従って、連続的に高くなっている。なお、本実施形態では、右側壁４２、左側壁４３及び床壁４５の撮影空間５側の面にも、床壁４４と同様のグラデーションが施されている。
【００４９】
図９は、本発明の第３の実施形態に係る写真撮影遊戯装置１における天壁４４の撮影空間５側の面を示す概略平面図である。図９に示すように、本実施形態の天壁４４は、その下面４４ａ（撮影空間５側の面）に施されたグラデーションが、第１及び第２の実施形態におけるグラデーションと異なる。本実施形態のグラデーションは、前記下面４４ａの範囲Ｃ１全体に着色された白色の下地に、左右方向に所定間隔をあけて複数の黒色の線を引くことによって施されている。
【００５０】
この複数の線は、前後方向の長さが異なる数種類（本実施形態では６種類）の線からなる。この数種類の線を図示のように配置することにより、下面４４ａの前側から後側へ向かうに従って、線密度（左右方向に隣り合う線同士の間隔）が徐々に低くなっている。これにより、天壁４４の下面４４ａの明度は、前側から後側へ向かうに従って、連続的に高くなっている。なお、本実施形態では、右側壁４２、左側壁４３及び床壁４５の撮影空間５側の面にも、床壁４４と同様のグラデーションが施されている。
【００５１】
図１０は、本発明の第４の実施形態に係る写真撮影遊戯装置１における天壁４４の撮影空間５側の面を示す概略平面図である。図１０に示すように、本実施形態の天壁４４は、その下面４４ａ（撮影空間５側の面）に施されたグラデーションが、第１〜第３の実施形態におけるグラデーションと異なる。本実施形態のグラデーションは、前記下面４４ａの範囲Ｃ１全体に着色された白色の下地に、前後方向に所定間隔をあけて複数の黒色の線を引くことによって施されている。
【００５２】
これらの各線は、下面４４ａの左右方向の全幅に亘って引かれており、各線の太さ（前後方向の厚み）が、下面４４ａの前側から後側へ向かうに従って徐々に細くなっている。これにより、天壁４４の下面４４ａの明度は、前側から後側へ向かうに従って、連続的に高くなっている。なお、本実施形態では、右側壁４２、左側壁４３及び床壁４５の撮影空間５側の面にも、床壁４４と同様のグラデーションが施されている。
【００５３】
以上、第２〜第４実施形態の写真撮影遊戯装置１においても、撮影空間５の前方に配置された照明ユニット３４から利用者に対して照明灯の照明光及びフラッシュの閃光を照射しても、グラデーションが施された区画壁４２〜４５により、当該区画壁４２〜４５を反射する反射光ＦＬ２，ＲＬ２の照度が、撮影空間５の前後において直接光ＦＬ１，ＲＬ１の照度とバランス調整されるため、撮影空間５の前後位置に関わらず、利用者に対して適切な照度で照射することができる。
【００５４】
〔その他の変形例〕
上述の実施形態はすべて例示であって制限的なものではない。本発明の権利範囲は特許請求の範囲によって規定され、そこに記載された構成と均等の範囲内のすべての変更は本発明の技術的範囲に含まれる。
例えば、上述の実施形態では、撮影空間５の前後方向に延びる複数の区画壁にグラデーションが施されているが、少なくとも一の区画壁にグラデーションが施されていればよい。
【００５５】
また、グラデーションは、明度が連続的に変化するように施されているが、明度が所定間隔ごとに段階的に変化するように施されていてもよい。
さらに、グラデーションは、黒色から白色に変化するように施されているが、明度が連続的に変化するものであれば、彩度を有する他の色を用いてもよい。
また、各区画壁４２〜４５には、すべて同一のグラデーションが施されているが、各区画壁４２〜４５毎に、第１〜第４実施形態に示すグラデーションから適宜選択して異なるグラデーションを施すようにしてもよい。
【００５６】
また、背景壁４１は、板状部材により構成されているが、カーテンにより構成されていてもよい。
また、右側壁４２及び左側壁４３は、プレート４２ａ，４３ａとカーテン４２ｂ，４３ｂとにより構成されているが、いずれか一方のみで構成されていてもよい。
また、床壁４５は、フロアマットにより構成されているが、遊技施設等の床面を、床壁４５として兼用するようにしてもよい。
【符号の説明】
【００５７】
１      写真撮影遊戯装置
２      撮影ブース
４      撮影筐体
５      撮影空間
３０      上部カメラ
３１      下部カメラ
３４      照明ユニット（照明具）
４２      右側壁（区画壁）
４３      左側壁（区画壁）
４４      天壁（区画壁）
４５      床壁（区画壁）
Ａ２，Ｂ２，Ｃ２，Ｄ２      撮影範囲
【図１】
2013025016.tif 000003
【図２】
2013025016.tif 000004
【図３】
2013025016.tif 000005
【図４】
2013025016.tif 000006
【図８】
2013025016.tif 000007
【図９】
2013025016.tif 000008
【図１０】
2013025016.tif 000009
【図１１】
2013025016.tif 000010
【図５】
2013025016.tif 000011
【図６】
2013025016.tif 000012
【図７】
2013025016.tif 000013